(57)【特許請求の範囲】
【請求項１】
底板および対向する一対の側板を有する下箱と、前記一対の側板間に橋架された第１の一対の橋架部材と、この第１の一対の橋架部材間に取着された内器と、この内器に並ぶように前記一対の側板間に橋架された第２の一対の橋架部材と、この第２の一対の橋架部材間に取着されたフリースペース用取付部材と、前記第１の一対の橋架部材に取着されて前記内器を開閉自在に覆う第１の扉と、前記第２の一対の橋架部材に取着されて前記フリースペース用取付部材を開閉自在に覆う第２の扉と、前記第１の一対の橋架部材と前記第２の一対の橋架部材との隣合う橋架部材間を連結して前記第１の扉と前記第２の扉との間の間隔を所定間隔に保つ位置決め部材とを備えた分電盤。
【請求項２】
前記第１の一対の橋架部材と前記第２の一対の橋架部材の隣合う橋架部材の少なくとも一方にねじ孔を設け、このねじ孔に螺合するねじの挿通孔を前記位置決め部材の一端側に形成し、前記位置決め部材の他端側に前記橋架部材の他方に引っ掛ける引掛片を設けた請求項１記載の分電盤。
【請求項３】
前記第１の一対の橋架部材と前記第２の一対の橋架部材との隣合う橋架部材の各々の両端は、前記側板に取着される部位を上段としかつその内側で前記下箱の内部側を下段として階段状に形成され、前記位置決め部材は、前記上段および前記下段の連設位置に当接するように取着されている請求項１または請求項２記載の分電盤。
【請求項４】
前記第１の扉および前記第２の扉は、扉本体とこの扉本体を開閉自在に枢着するものであって前記橋架部材に取着された扉枠とからなり、前記位置決め部材に扉引掛片を設け、前記第１の扉および前記第２の扉の少なくとも一方の前記扉枠に前記扉引掛片に引掛けられる被引掛部を設けた請求項３記載の分電盤。
【請求項５】
前記第１の扉および前記第２の扉は、扉本体と、この扉本体を開閉自在に枢着するものであって前記橋架部材に取着された扉枠とからなり、前記位置決め部材に扉引掛片を設けるとともに、前記第１の扉および前記第２の扉の一方の前記扉枠より他方の前記扉枠の背面側に進入する縁片を延出し、前記扉引掛片に引掛られる被引掛部を前記縁片に設けた請求項３記載の分電盤。
【発明の詳細な説明】
【０００１】
【発明の属する技術分野】
この発明は、主幹開閉器や分岐開閉器を収納した箱体内に、その他のものを収納するフリースペースを設けた分電盤に関するものである。
【０００２】
【従来の技術】
従来の分電盤にあっては、特開平７−２９８４２７号に示すように、主幹開閉器や分岐開閉器等の内器をフレームに取着し、このフレームを下箱の側板に取着している。
ところで近年、ＢＳその他の中継端末や弱電機器を分電盤内に収納することが成されつつあり、これに対応するためには、上述した分電盤内に木板を取着してフリースペースを形成し、このフリースペース内に収納することになる。
【０００３】
【発明が解決しようとする課題】
しかし、上述した分電盤にあっては、一枚の扉により開閉される下箱内にフリースペースを形成し、このフリースペース内にＢＳその他の中継端末や弱電機器を収納するようにしているので、フリースペース内を点検するときに、わざわざ大きな一枚扉を開かないとできず、フリースペース内に配設されるＢＳその他の中継端末の点検や弱電機器の操作が煩わしいという問題があった。
【０００４】
また、フリースペース用の専用の扉を設けることも考えられるが、この場合にはフリースペース内に配設されるＢＳその他の中継端末および弱電機器と専用の扉との位置合わせが困難であったり、専用の扉とメインの扉の位置合わせが困難になる問題がある。
したがって、この発明の目的は、フリースペース内に配設されるＢＳその他の中継端末の点検や弱電機器の操作が容易となる分電盤を提供することである。
【０００５】
【課題を解決するための手段】
請求項１記載の分電盤は、底板および対向する一対の側板を有する下箱と、前記一対の側板間に橋架された第１の一対の橋架部材と、この第１の一対の橋架部材間に取着された内器と、この内器に並ぶように前記一対の側板間に橋架された第２の一対の橋架部材と、この第２の一対の橋架部材間に取着されたフリースペース用取付部材と、前記第１の一対の橋架部材に取着されて前記内器を開閉自在に覆う第１の扉と、前記第２の一対の橋架部材に取着されて前記フリースペース用取付部材を開閉自在に覆う第２の扉と、前記第１の一対の橋架部材と前記第２の一対の橋架部材との隣合う橋架部材間を連結して前記第１の扉と前記第２の扉との間の間隔を所定間隔に保つ位置決め部材とを備えたものである。
【０００６】
請求項１記載の分電盤によれば、フリースペース用の扉を内器操作用の扉と別体とすることで、フリースペースに配設される機器のみの操作をわざわざ一枚の大きな扉を開いて行なう必要がなくなり、フリースペースに配設される機器の操作を容易にできる。また、各扉を下箱の一対の側板に橋架された橋架部材に取着するので、内器およびフリースペース用取付部材と各扉との位置合わせが容易に行なえる。さらに、２つの扉間の間隔を位置決め部材により常に一定に保つことができ、第１の扉および第２の扉の位置決めを容易にすることができる。
【０００７】
請求項２記載の分電盤は、前記第１の一対の橋架部材と前記第２の一対の橋架部材の隣合う橋架部材の少なくとも一方にねじ孔を設け、このねじ孔に螺合するねじの挿通孔を前記位置決め部材の一端側に形成し、前記位置決め部材の他端側に前記橋架部材の他方に引っ掛ける引掛片を設けたものである。
請求項２記載の分電盤によれば、位置決め部材をねじにより一方の橋架部材に取着した後、位置決め部材の引掛片を他方の橋架部材に引掛て隣合う橋架部材間の間隔を保つことができ、内器、フリースペース用取付部材および橋架部材の取外し作業を容易にすることができる。なお、ねじ孔を橋架部材の両方に設けた場合には、位置決め部材をいずれか任意の橋架部材にねじ止めすることができる。
【０００８】
請求項３記載の分電盤は、請求項１または請求項２において、前記第１の一対の橋架部材と前記第２の一対の橋架部材との隣合う橋架部材の各々の両端は、前記側板に取着される部位を上段としかつその内側で前記下箱の内部側を下段として階段状に形成され、前記位置決め部材は、前記上段および前記下段の連設位置に当接するように取着されているものである。
【０００９】
請求項３記載の分電盤によれば、請求項１または請求項２と同様な効果のほか、内器とフリースペース用取付部材とが横方向にずれた位置に配設されることがなく、安定した連結ができる。
請求項４記載の分電盤は、請求項３において、前記第１の扉および前記第２の扉が、扉本体とこの扉本体を開閉自在に枢着するものであって前記橋架部材に取着された扉枠とからなり、前記位置決め部材に扉引掛片を設け、前記第１の扉および前記第２の扉の少なくとも一方の前記扉枠に前記扉引掛片に引掛けられる被引掛部を設けたものである。
【００１０】
請求項４記載の分電盤によれば、請求項３と同様な効果のほか、一方の扉枠を扉引掛片に引っ掛けることができるので、扉の取付作業を簡素化することができる。
請求項５記載の分電盤は、請求項３において、前記第１の扉および前記第２の扉は、扉本体と、この扉本体を開閉自在に枢着するものであって前記橋架部材に取着された扉枠とからなり、前記位置決め部材に扉引掛片を設けるとともに、前記第１の扉および前記第２の扉の一方の前記扉枠より他方の前記扉枠の背面側に進入する縁片を延出し、前記扉引掛片に引掛られる被引掛部を前記縁片に設けたものである。
【００１１】
請求項５記載の分電盤によれば、請求項４と同様な効果のほか、２つの扉枠間の隙間を塞ぐことができ、見栄えが良くなる。
【００１２】
【発明の実施の形態】
この発明の一実施の形態を図１から図８により説明する。すなわち、この分電盤は、下箱１と、第１の一対の橋架部材２、３と、内器４と、第２の一対の橋架部材５、６と、フリースペース用取付部材７と、第１の扉８と、第２の扉９と、位置決め部材１０とを有する。
【００１３】
下箱１は、底板１１および対向する一対の側板１２を有する。実施の形態の下箱１は、側板１２を含めて底板１１の周囲に連続する側板を有する箱形であり、各側板に電線挿通孔１６を形成し、各側板の前端側となる開口縁の全周にわたって前端片１３を形成し、その所定位置に複数の取付用のねじ孔１５を形成している。また底板１１に図５に示すように壁面取付用の孔５０等を形成し、建物の壁面等に例えばねじ等を用いた取付手段により取付けられる。
【００１４】
第１の一対の橋架部材２、３は、一対の側板１２間に橋架されている。実施の形態の橋架部材２は、その両端に側板１２に取着される段部１７を設け、段部１７にねじ挿通孔１８を形成し、その内側の底部側に図４に示すように取付具取付部２５が形成されている。ねじ挿通孔１８は、橋架部材２の高さ調整および姿勢調整を可能にする構成、例えば橋架部材２の左右両端部に長孔を形成するとともにその向きが両者合わせてハの字形をなすように形成している。橋架部材３の両端は側板１２に取着される部位を上段１９としかつその内側で箱体１の内部側を下段として階段状に形成され、実施の形態では上段１９と下段との間に中間段２１を形成している。そして上段１９に前記した構成と同じねじ挿通孔１８を形成している。また橋架部材３の中間段２１の間に扉枠取付部材２４の両端が取付けられ、これに一対の取付具取付部２５が形成されている。
【００１５】
内器４は、第１の一対の橋架部材２、３間に取着されている。実施の形態の内器４は、主幹開閉器２６と、多数の分岐開閉器２７と、リミッタ取付板２８からなり、主幹開閉器２６およびリミッタ取付板２８は橋架部材２に取付けられ、分岐開閉器２７はフレーム２２に取付けられ、フレーム２２の上下端部が橋架部材２、３の間に連結されている。したがって、下箱１への組み込み時には、分岐開閉器２７を設置したフレーム２２で橋架部材２、３を連結し、橋架部材２に主幹開閉器２６等を設置し、相互の配線を行なって、下箱１のねじ孔１５に予め仮ねじしたねじ３０に橋架部材２、３のねじ挿通孔１８のねじ頭挿通部１８ａを挿通し、橋架部材２、３を下方にずらして仮固定状態とし、ねじ３０を下箱１にねじ締めすることにより取付ける。５１は主幹開閉器２６と分岐開閉器２７とを接続する導電バーである。
【００１６】
第２の一対の橋架部材５、６は、内器４に並ぶように一対の側板１２間に橋架されている。実施の形態の橋架部材５、６は図６に示すように橋架部材３とほぼ同形状に形成され、両端が中間段２１を有する階段状に形成され、かつ上段１９にねじ挿通孔１８を形成している。したがって、第１の一対の橋架部材２、３と第２の一対の橋架部材５、６との隣合う橋架部材３、５の各々の両端は、側板１２に取着される部位を上段１９としかつその内側で下箱１の内部側を下段として階段状に形成されている。
【００１７】
フリースペース用取付部材７は、第２の一対の橋架部材５、６間に取着されている。実施の形態では例えば弱電機器等が取付けられる木製等の板であり、図６に示すように四隅にねじ挿通孔３２を形成し、ねじ挿通孔３２に整合するねじ孔３３を橋架部材５、６にそれぞれ形成し、ねじ５７により取付けている。また橋架部材６にはその中間段部２１間に扉枠取付部材２４がねじ５８により取付けられ、これに一対の取付具取付部２５が形成されている。このフリースペース用取付部材７により橋架部材５、６が連結される。したがって、下箱１への取付けは、橋架部材２、３の取付けと同様であり、所定の機器を設置したフレースペース用取付部材７で橋架部材５、６を連結し、予め下箱１のねじ孔１５に仮ねじしたねじ３０に橋架部材５、６のねじ挿通孔１８のねじ頭部挿通部１８ａを通して下方にずらすことにより仮止めしねじ締めして固定する。
【００１８】
第１の扉８は、第１の一対の橋架部材２、３に取着されて内器４を開閉自在に覆う。実施の形態の第１の扉８は、扉本体３５と、この扉本体３５を開閉自在に枢着するものであって橋架部材５、６に取着された扉枠３６とからなる。実施の形態では扉本体３５の内側で扉枠３６に中蓋５３を設け、図３に示すように中蓋５３に主幹開閉器２６および分岐開閉器２７を操作するための各種の開口５３ａを形成している。また中蓋５３の端部に取付具取付部２５に着脱可能に取付けられる取付具５５を設け、さらに扉本体３５を開閉自在に閉じるための受け部５６を設けている。取付具５５を取付具取付部２５に取付けて第１の扉８が下箱１に設置される。５２は受け部５６に引っ掛かる引掛部の付いた取手、５４は扉本体３５のヒンジである。
【００１９】
第２の扉９は、第２の一対の橋架部材５、６に取着されてフリースペース用取付部材７を開閉自在に覆うものである。第２の扉９も第１の扉８と同様に、取付５２の付いた扉本体３５ａと、この扉本体３５ａを開閉自在にヒンジ５４により枢着するものであって橋架部材５、６に取着された扉枠３６ａとからなり、扉本体３５ａの内側で扉枠３６ａに中蓋５３を設け、中蓋５３に取付具５５を設けている。そして取付具５５を取付具取付部２５に取付けて第１の扉８が下箱１に設置される。
【００２０】
また扉枠３６ａに後述の扉引掛片３９に引掛けられる被引掛部３８を設けている。すなわち実施の形態では図２および図８に示すように第１の扉８の下箱１側すなわち扉枠３６の背面側となる裏面の下端に進入する縁片３７を扉枠３６ａの上端部の下箱１側端部より上方に延出し、被引掛部３８を縁片３７に一体に設けている。
位置決め部材１０は、第１の一対の橋架部材２、３と第２の一対の橋架部材５、６との隣合う橋架部材３、５間を連結して第１の扉８と第２の扉９との間の間隔を所定間隔に保つものである。第１の一対の橋架部材２、３と第２の一対の橋架部材５、６の隣合う橋架部材３、５の少なくとも一方、すなわち一方または両方に図７に示すようにねじ孔４１を設け、このねじ孔４１に螺合するねじ４２の挿通孔４４を位置決め部材１０の一端側に形成し、位置決め部材１０の他端側に橋架部材３、５の他方に引っ掛ける引掛片４５を設けている。
【００２１】
実施の形態の位置決め部材１０は例えば図７に示すように略帯板状であり、下端部にねじ挿通孔４４を形成し、上端部に引掛片４５を下箱１側に向けて折曲し、中間部に下端部に向けて扉引掛片３９を切起こし、扉引掛片３９の近傍の側部に折曲げ片４６を折曲している。また引掛片４５の近傍にねじ４３を挿通するねじ挿通孔４７を形成している。
【００２２】
またこの位置決め部材１０は一対有し、橋架部材３、５の両側で位置決め部材１０の端面が上下段の連設位置に当接するように取着されている。すなわち図４に示すように位置決め部材１０の表面が中間段部２１に当接し、位置決め部材１０の側面が中間段部２１と上段１９との連設壁２１ａに当接し、引掛片４５が橋架部材３の上端縁に係止し、折曲げ片４６の下端部が橋架部材５の上端縁に係止するように取着される。
【００２３】
組立は、ねじ４２をねじ挿通孔４４に挿通し、橋架部材６のねじ孔４１にねじ込んで位置決め部材１０を橋架部材５に取付けておく。このとき、上述のように位置決め部材１０の表面は中間段部２１に当接し側面は連設壁２１ａに当接し折曲げ片４６は橋架部材５の上縁に当接するように取付けられる。折曲げ片４６は位置決め部材１０の橋架部材５に対する垂直姿勢を保つのに役立てることができる。下箱１に先に内器４を取付けた橋架部材２、３を取付け、つぎにフリースペース用取付部材７を取付けた橋架部材５、６を下箱１に仮に取付け、このとき橋架部材５、６の両側の位置決め部材１０の引掛片４５を橋架部材３に引っ掛け、ねじ４３をねじ挿通孔４７に通してねじ孔４１にねじ締めするとともに、橋架部材５、６を下箱１にねじ３０により締付け固定する。これにより、橋架部材５、６の高さ調整および姿勢調整が行なわれるとともに、橋架部材３、５間の間隔を一定に保持することができる。つぎに第１の扉８を取付具５５により取付具取付部２５に取付ける。そして第２の扉９の被引掛部３８を図８に示すように扉引掛片３９に引掛ながら取付具５５により取付具取付部２５に取付ける。
【００２４】
この実施の形態によれば、フリースペース用の扉９を内器操作用の扉８と別体とすることで、フリースペースに配設される機器のみの操作をわざわざ一枚の大きな扉を開いて行なう必要がなくなり、フリースペースに配設される機器の操作を容易にできる。また、各扉８、９を下箱１の一対の側板１２に橋架された橋架部材２、３、５、６に取着するので、内器４およびフリースペース用取付部材７と各扉８、９との位置合わせが容易に行なえる。さらに、２つの扉８、９間の間隔を位置決め部材１０により常に一定に保つことができ、第１の扉８および第２の扉９の位置決めを容易にすることができる。
【００２５】
また第１の一対の橋架部材２、３と第２の一対の橋架部材５、６の隣合う橋架部材３、５の少なくとも一方にねじ孔４１を設け、このねじ孔４１に螺合するねじ４２の挿通孔４４を位置決め部材１０の一端側に形成し、位置決め部材１０の他端側に橋架部材３、５の他方に引っ掛ける引掛片４５を設けたため、位置決め部材１０をねじ４２により一方の橋架部材５に取着した後、位置決め部材１０の引掛片４５を他方の橋架部材３に引掛て隣合う橋架部材３、５間の間隔を保つことができ、内器４、フリースペース用取付部材７および橋架部材２、３、５、６の取外し作業を容易にすることができる。なお、ねじ孔４１を橋架部材３、５の両方に設けた場合には、位置決め部材１０をいずれか任意の橋架部材３、５にねじ止めすることができる。
【００２６】
第１の一対の橋架部材２、３と第２の一対の橋架部材５、６との隣合う橋架部材３、５の各々の両端は、側板１２に取着される部位を上段１９としかつその内側で下箱１の内部側を下段として階段状に形成され、位置決め部材１０は、上段１９および下段の連設位置に当接するように取着されているため、内器４とフリースペース用取付部材７とが横方向にずれた位置に配設されることがなく、安定した連結ができる。
【００２７】
第１の扉８および第２の扉９が、扉本体３５、３５ａとこの扉本体を開閉自在に枢着するものであって橋架部材に取着された扉枠３６、３６ａとからなり、位置決め部材１０に扉引掛片３９を設け、第１の扉８および第２の扉９の少なくとも一方の扉枠３６ａに扉引掛片３９に引掛けられる被引掛部３８を設けたため、一方の扉枠３６ａを扉引掛片３９に引っ掛けることができるので、扉の取付作業を簡素化することができる。
【００２８】
一方の扉枠３６の裏面に進入する縁片３７を他方の扉枠３６ａより延出し、被引掛部３８は縁片３７に設けられているため、２つの扉枠３６、３６ａ間の隙間を塞ぐことができ、見栄えが良くなる。
なお、この発明において、扉引掛片３９は第２の扉９を引っ掛けるものであったが、第１の扉８を引掛けるものでもよく、また両者を引っ掛けるように一対設け、すなわち扉引掛片３９を第１の扉８および第２の扉９の扉枠３６、３６ａに対して設け、被引掛部３８を両方の扉枠３６、３６ａに設けてもよい。
【００２９】
【発明の効果】
請求項１記載の分電盤によれば、フリースペース用の扉を内器操作用の扉と別体とすることで、フリースペースに配設される機器のみの操作をわざわざ一枚の大きな扉を開いて行なう必要がなくなり、フリースペースに配設される機器の操作を容易にできる。また、各扉を下箱の一対の側板に橋架された橋架部材に取着するので、内器およびフリースペース用取付部材と各扉との位置合わせが容易に行なえる。さらに、２つの扉間の間隔を位置決め部材により常に一定に保つことができ、第１の扉および第２の扉の位置決めを容易にすることができる。
【００３０】
請求項２記載の分電盤によれば、位置決め部材をねじにより一方の橋架部材に取着した後、位置決め部材の引掛片を他方の橋架部材に引掛て隣合う橋架部材間の間隔を保つことができ、内器、フリースペース用取付部材および橋架部材の取外し作業を容易にすることができる。なお、ねじ孔を橋架部材の両方に設けた場合には、位置決め部材をいずれか任意の橋架部材にねじ止めすることができる。
【００３１】
請求項３記載の分電盤によれば、請求項１または請求項２と同様な効果のほか、内器とフリースペース用取付部材とが横方向にずれた位置に配設されることがなく、安定した連結ができる。
請求項４記載の分電盤によれば、請求項３と同様な効果のほか、一方の扉枠を扉引掛片に引っ掛けることができるので、扉の取付作業を簡素化することができる。
【００３２】
請求項５記載の分電盤によれば、請求項４と同様な効果のほか、２つの扉枠間の隙間を塞ぐことができ、見栄えが良くなる。
【図面の簡単な説明】
【図１】この発明の一実施の形態の分電盤の分解斜視図である。
【図２】さらに第１の扉および第２の扉を分離した状態の分解斜視図である。
【図３】分電盤の扉を開いた状態の正面図である。
【図４】扉を外した状態の正面図である。
【図５】第２の扉を取付けた状態の正面図である。
【図６】橋架部材、内器およびフリースペース用取付部材の分解斜視図である。
【図７】橋架部材と位置決め部材の分解斜視図である。
【図８】位置決め部材の取付けを示す断面図である。
【符号の説明】
１    下箱
２    橋架部材
３    橋架部材
４    内器
５    橋架部材
６    橋架部材
７    フリースペース用取付部材
８    第１の扉
９    第２の扉
１０    位置決め部材
１１    底板
１２    側板
１９    上段
３５    扉本体
３５ａ    扉本体
３６    扉枠
３６ａ    扉枠
３７    縁片
３８    被引掛部
３９    扉引掛片
４１    ねじ孔
４２    ねじ
４４    ねじ挿通孔
４５    引掛片
【図１】
0003591276.tif 000002
【図２】
0003591276.tif 000003
【図３】
0003591276.tif 000004
【図４】
0003591276.tif 000005
【図５】
0003591276.tif 000006
【図６】
0003591276.tif 000007
【図７】
0003591276.tif 000008
【図８】
0003591276.tif 000009